(57)【要約】【課題】  装置を構成するユニットの１つを電源オフにしても、券の発行動作が可能となり、発券の効率が向上し、消費電力を低減し得る券類発行装置を得る。【解決手段】  券類発行装置に含まれる操作部、申込用紙読み取り部、発券部、係員用表示部、客用表示部、及びプリンタ部のうち少なくとも１つに対して選択的に電源ＯＮ／ＯＦＦを行う電源制御部をさらに設ける。【選択図】図２
2007241498.tif 000002
【特許請求の範囲】
【請求項１】
券の購入情報を入力するための操作部と、該購入情報が記録された申込用紙から該画像情報の少なくとも一部を読取る申込用紙読み取り部と、基材に該購入情報を記録して券を発行する発券部と、装置の動作状況の表示を行う係員用表示部と、発行される券に関する事項の表示を行う客用表示部と、発行される券に関する帳票印字を行うためのプリンタ部と、主電源に接続され、前記各部の少なくとも１つに対して選択的に電源ＯＮ／ＯＦＦを行う電源制御部と、前記購入情報の処理、及び前記操作部、前記申込用紙読み取り部、前記発券部、前記係員用表示部、前記客用表示部、前記プリンタ部、及び前記電源制御部の各部の制御を行う主制御部とを具備することを特徴とする券類発行装置。
【請求項２】
前記操作部、前記申込用紙読み取り部、前記発券部、前記係員用表示部、前記客用表示部、及び前記プリンタ部の各部は、前記電源制御部に接続された個別の電源を各々備えたことを特徴とする請求項１に記載の券類発行装置。
【請求項３】
前記主制御部、前記電源制御部、及び前記操作部は、主電源がＯＮ状態のとき、常時ＯＮ状態であることを特徴とする請求項１に記載の券類発行装置。
【発明の詳細な説明】
【技術分野】
【０００１】
本発明は、例えば交通機関等で用いられる定期券等を印刷、発行するための券類発行装置に関する。
【背景技術】
【０００２】
例えば定期券発行装置等の券類発行装置では、装置を構成する全てのユニットを常時使用していないにも関わらず、電源が投入されているため、消費電力が大きいという問題があった。
【０００３】
また、従来の定期券発行装置では、定期券発行装置において、常時、発券部・操作部など全てのユニットの電源が投入され、通信できる状態にあることが正常状態となっていた（例えば、特許文献１参照）。そのため、常に使用するわけではないユニットについても、電源を投入しておく必要があり、待機時等においては、余計な電力を消費していた。また、消費電力を低減するために使用していないユニットの電源をＯＦＦにしたり、あるいは各ユニットのうちの１つでも不具合が発生して電源ＯＦＦとした場合、電源ＯＦＦとしたユニットと他のユニット間の通信が途切れるため、装置内の異常状態として検出され、装置全体が動作できなくなっていた。
【特許文献１】特開２００４−１６６２５７号公報
【発明の開示】
【発明が解決しようとする課題】
【０００４】
本発明は、上記事情に鑑みて成されたもので、使用していないユニット及び不具合が生じたユニットの電源をＯＦＦにしても券の発行動作が可能な券類発行装置を提供することを目的とする。
【課題を解決するための手段】
【０００５】
本発明の券類発行装置は、券の購入情報を入力するための操作部と、該購入情報が記録された申込用紙から該画像情報の少なくとも一部を読取る申込用紙読み取り部と、基材に該購入情報を記録して券を発行する発券部と、装置の動作状況の表示を行う係員用表示部と、発行される券に関する事項の表示を行う客用表示部と、発行される券に関する帳票印字を行うためのプリンタ部と、主電源に接続され、前記各部の少なくとも１つに対して選択的に電源ＯＮ／ＯＦＦを行う電源制御部と、前記購入情報の処理、及び前記操作部、前記申込用紙読み取り部、前記発券部、前記係員用表示部、前記客用表示部、前記プリンタ部、及び前記電源制御部の各部の制御を行う主制御部とを具備することを特徴とする。
【発明の効果】
【０００６】
本発明によれば、装置を構成するユニットの１つを電源ＯＦＦにしても、券の発行動作が可能となり、発券の効率が向上し、消費電力を低減し得る。
【発明を実施するための最良の形態】
【０００７】
図１に、本発明に係る定期券発行装置の一構成例を表す概略図を示す。
【０００８】
図示するように、この定期券発行装置１０は、係員により、駅名及び有効期間等の定期券発行に必要な購入情報の入力を行うための操作部３と、挿入口より定期券申込み用紙を受け入れ、その氏名欄の画像読取を行う申込み用紙読取部５と、基材に定期券情報を記録及び印刷して定期券を発券するための発券部４と、発行される定期券の金額等を表示する客用表示部７と、ジャーナル・レシート等の帳票印字を行うプリンタ部８と、操作状況等の表示を行う係員モニター部６と、上記各部の動作制御、及び購入情報の処理を行う主制御部１と、図示しない主電源に接続され、上記各部の電源ＯＮ／ＯＦＦ制御を行う電源制御部２と、これらを収容する筐体９等の複数のユニットを有する。
【０００９】
図２に、電源をＯＮ／ＯＦＦする制御系統の概略を説明するためのブロック図を示す。
【００１０】
図示するように、主制御部１は、電源制御部２、操作部３、発券部４、申込用紙読み取り部５、係員モニター部６、客用表示部７、及びプリンタ部８と、各々個別に通信回線で
接続されている。
【００１１】
また、主電源２０と接続された電源制御部２は、主制御部１の電源２１、操作部３の電源２３，発券部４の電源２４、申込用紙読み取り部５の電源２５、係員モニター部６の電源２６、客用表示部７の電源２７、及びプリンタ部８の電源２８と各々個別に接続されており、選択的に電源を入れることが可能である。
【００１２】
この場合、例えば主制御部１、電源制御部２、及び操作部３を常時ＯＮとし、他の各部の電源ＯＮ／ＯＦＦコマンドにより電源ＯＮ／ＯＦＦ制御を行うことができる。発券部４、申込用紙読み取り部５、及び係員モニター部６の電源ＯＮは、例えば定期券発行時の第一操作または専用ボタンの押下によって、電源ＯＮとすることができる。ここで、発券部４、申込用紙読み取り部５、及び係員モニター部６のうち電源ＯＦＦにしていた部分を再度電源ＯＮにするときは、各部間通信の再接続処理を行うことができる。
【００１３】
客用表示部７及びプリンタ部８は、定期券の金額が確定した時に電源ＯＮとすることができる。
【００１４】
装置の電源ＯＦＦは、一定時間、無操作であった場合か、専用ボタンの押下で行う。
【００１５】
また、各電源２１，２３，２４，２５，２６，２７，２８には、各々、専用ボタン３１，３３，３４，３５，３６，３７，３８が設けられており、各電源２１，２３，２４，２５，２６，２７，２８がＯＮまたはＯＦＦの状態でも、専用ボタン３１，３３，３４，３５，３６，３７，３８の押下動作により、ＯＦＦまたはＯＮにすることが出来る。
【００１６】
また、各部の電源ＯＮと電源ＯＦＦにする操作ボタンを兼用することにより操作を簡略にすると共に、押下時間により電源ＯＮと電源ＯＦＦの機能を分けることが可能であり、これにより誤操作を防ぐことができる。
【００１７】
また、操作部は、ランプ表示を行うことが可能であり、主電源２０  ＯＮまたは専用ボタン３３の押下動作によって点灯させることが出来る。
【００１８】
次に、図３のタイミングチャート及び図４のフローチャートを用いて定期券発行装置の電源ＯＮ／ＯＦＦ制御の一例を説明する。
【００１９】
まず、図３のＡのタイミングで主電源２０の例えば専用ボタン２２を押下することにより主電源２０を投入する（ＳＴ１）。次に、主制御部１、電源制御部２及び操作部３の電源を投入する（ＳＴ２）。ここで、ＳＴ３において定期券発行の第１操作、例えば操作部３による購入情報の入力操作が図３のＢのタイミングで開始されたと判断されると、第１操作があった旨の情報が主制御部１に伝達され、主制御部１による制御の下で電源制御部２が申込用紙読み取り部５及び係員モニター部６の電源を投入する（ＳＴ４）。
【００２０】
係員の操作により（ＳＴ５）、購入情報の入力及び申込用紙の読み取り等を定期券の発行条件が決定されると（ＳＴ６）、その時点Ｃで主制御部１による制御の下で電源制御部２が客用表示部７及びプリンタ部８の電源を投入し（ＳＴ７）、金額表示とジャーナル印字を行う（ＳＴ８）。金額表示、及びジャーナル印字が完了したことを主制御部１が検知した時点Ｄで、主制御部１による制御の下で電源制御部２が客用表示部７及びプリンタ部８の電源を遮断する（ＳＴ９）。その後、ＳＴ１０で次の定期券発行操作があると判断された場合はＳＴ５に戻り、主制御部１による制御の下で電源制御部２が引き続き全ての部の電源をＯＮ状態に維持し、ＳＴ５〜ＳＴ９の動作を繰り返す。
【００２１】
ＳＴ１０で次の定期券発行操作がないと判断された場合は、ＳＴ１１で一定時間経過したと判断した後、無操作状態が続いたことを主制御部１が検知した時点Ｅで、電源制御部２が発券部４、申込用紙読み取り部５及び係員モニター部６の電源を遮断し（ＳＴ１２）、この後ＳＴ３に戻る。
【００２２】
このように、本発明では、各部の電源を入れるタイミングを起動時間により区別して行うことにより、電源ＯＮ時の処理によるタイムラグを解消し、処理時間の増大を防ぐことができる。また、通常操作によりユニットの電源がＯＮされることにより、定期券発行装置のオペレータが、ユニット電源ＯＮ操作を意識することなく、業務を行える。
【００２３】
図３は、定期券発行装置の稼働中に、必要としないタイミングでは必要とされない部の電源をＯＦＦにする制御の例を示している。この他の例として、例えば故障等により動作できない部があるとき、主制御部１が故障が発生したことを検知した時点で、電源制御部２は、主制御部１から、故障した部の情報を受けて、該当する部の電源を遮断することができる。あるいは、係員が専用ボタンを押下することにより、該当する部のみ電源を遮断することが可能である。これにより、故障した部を主制御部から切り離した状態で稼動させることが出来る。また、必要としないタイミングで電源をＯＦＦにされた部を、例えば係員が専用ボタンを押下することにより電源ＯＮとすることもまた可能である。
【００２４】
このように、本発明を用いると、装置を構成するユニットを選択的に電源ＯＮ／ＯＦＦを制御することが出来るので、１つのユニットを電源ＯＦＦにしても、他のユニットの電源をＯＮ状態にすることにより、券の発行動作が可能となり、発券の効率が向上し、消費電力を低減し得る。
【図面の簡単な説明】
【００２５】
【図１】本発明に係る定期券発行装置の一構成例を表す概略図
【図２】電源をＯＮ／ＯＦＦする制御系統の概略を説明するためのブロック図
【図３】定期券発行装置の電源ＯＮ／ＯＦＦ制御の一例に関するタイミングチャート
【図４】定期券発行装置の電源ＯＮ／ＯＦＦ制御の一例を説明するためのフローチャート
【符号の説明】
【００２６】
１…主制御部、２…電源制御部、３…操作部、４…発券部、５…申込み用紙読取部、６…係員モニター部、７…客用表示部、８…プリンタ部、９…筐体、１０…定期券発行装置、２０…主電源、２１，２３，２４，２５，２６，２７，２８…電源、２２，３１，３３，３４，３５，３６，３７，３８…専用ボタン
【図１】
2007241498.tif 000003
【図２】
2007241498.tif 000004
【図３】
2007241498.tif 000005
【図４】
2007241498.tif 000006